(57)【要約】  本願は、低水準ネットワークから高水準ネットワークへの復帰方法を提供し、デュアルSIM・デュアルスタンバイ・シングルパスモードにある端末装置のプライマリカードが、データサービス中に高水準ネットワークから低水準ネットワークにフォールバックした後に高水準ネットワークに復帰することができないという問題を解決するものである。この方法は、端末装置の第1の加入者識別モジュールSIMカードが第1の標準ネットワークから第2の標準ネットワークにフォールバックしたことを検出するステップと、第2のSIMカードの登録状況を取得するステップであって、登録状況が、第2のSIMカードの事業者および第2のSIMカードがキャンプオンするネットワークを含み、第1のSIMカードおよび第2のSIMカードが、端末装置がデュアルSIM・デュアルスタンバイ・シングルパスモードで動作することを可能にする、ステップと、第2のSIMカードの登録状況に基づいてターゲット標準ネットワークを取得するステップと、第1のSIMカードをターゲット標準ネットワークに登録するステップとを含む。
2021516507.tif 000002
【特許請求の範囲】
【請求項１】
低水準ネットワークから高水準ネットワークへの復帰方法であって、前記方法が、
端末装置の第1の加入者識別モジュールSIMカードが第1の標準ネットワークから第2の標準ネットワークにフォールバックしたことを検出するステップと、
第2のSIMカードの登録状況を取得するステップであって、前記登録状況が、前記第2のSIMカードの事業者および前記第2のSIMカードがキャンプオンするネットワークを含み、前記第1のSIMカードおよび前記第2のSIMカードが、前記端末装置がデュアルSIM・デュアルスタンバイ・シングルパスモードで動作することを可能にする、ステップと、
前記第2のSIMカードの前記登録状況に基づいてターゲット標準ネットワークを取得するステップと、
前記第1のSIMカードを前記ターゲット標準ネットワークに登録するステップと
を含む、方法。
【請求項２】
前記第1のSIMカードに対応するモデムが、データサービス接続モードにある、請求項1に記載の方法。
【請求項３】
前記第2のSIMカードの前記登録状況に基づいてターゲット標準ネットワークを取得する前記ステップが、
前記第2のSIMカードの前記事業者が前記第1のSIMカードの事業者と同じであり、かつ前記第2のSIMカードが前記高水準ネットワークにキャンプオンしている場合に、前記第2のSIMカードがキャンプオンする前記高水準ネットワークを前記ターゲット標準ネットワークとして使用するステップ
を含む、請求項1または2に記載の方法。
【請求項４】
前記第2のSIMカードの前記登録状況に基づいてターゲット標準ネットワークを取得する前記ステップが、
前記第2のSIMカードの前記事業者が前記第1のSIMカードの前記事業者とは異なるか、または前記第2のSIMカードが低水準ネットワークにキャンプオンしている場合に、検索通知を前記第2のSIMカードに送信するステップであって、前記検索通知が、前記ターゲット標準ネットワークを検索するように前記第2のSIMカードに指示するために使用される、ステップと、
前記ターゲット標準ネットワークを前記第2のSIMカードから取得するステップであって、前記ターゲット標準ネットワークが、ダウンリンク無線周波数リソースを使用して前記第2のSIMカードに対応するモデムによって発見される、ステップと
を含む、請求項1から3のいずれか一項に記載の方法。
【請求項５】
前記第2のSIMカードの前記登録状況が、前記第2のSIMカードが前記端末装置に装着されているかどうかをさらに含み、
ターゲット標準ネットワークを前記第2のSIMカードの前記登録状況に基づいて取得する前記ステップが、
前記第2のSIMカードが前記端末装置に装着されていないと判定された場合に、ダウンリンク無線周波数リソースを使用して前記ターゲット標準ネットワークを検索するように前記第2のSIMカードに対応するモデムに指示するステップと、
前記ターゲット標準ネットワークを前記第2のSIMカードに対応する前記モデムから取得するステップと
を含む、請求項1または2に記載の方法。
【請求項６】
前記第1の標準ネットワークが4G、4．5Gおよび5Gを含み、前記第2の標準ネットワークが2Gネットワークまたは3Gネットワークを含む、請求項1から5のいずれか一項に記載の方法。
【請求項７】
通信装置であって、
端末装置の第1の加入者識別モジュールSIMカードが第1の標準ネットワークから第2の標準ネットワークにフォールバックしたかどうかを検出するように構成された検出ユニットと、
前記検出ユニットが、前記第1のSIMカードが前記第1の標準ネットワークから前記第2の標準ネットワークにフォールバックしたことを検出した場合に、第2のSIMカードの登録状況を取得するように構成された取得ユニットであって、前記登録状況が、前記第2のSIMカードの事業者および前記第2のSIMカードがキャンプオンするネットワークを含み、前記第1のSIMカードおよび前記第2のSIMカードが、前記端末装置がデュアルSIM・デュアルスタンバイ・シングルパスモードで動作することを可能にし、
前記取得ユニットが、前記第2のSIMカードの前記登録状況に基づいてターゲット標準ネットワークを取得するようにさらに構成された、取得ユニットと、
前記第1のSIMカードを前記ターゲット標準ネットワークに登録するように構成された登録ユニットと
を備える、通信装置。
【請求項８】
前記第1のSIMカードに対応するモデムが、データサービス接続モードにある、請求項7に記載の通信装置。
【請求項９】
前記取得ユニットが、前記第2のSIMカードの前記事業者が前記第1のSIMカードの前記事業者と同じであり、かつ前記第2のSIMカードが高水準ネットワークにキャンプオンしている場合に、前記第2のSIMカードがキャンプオンする前記高水準ネットワークを前記ターゲット標準ネットワークとして使用する
ように特に構成される、請求項7または8に記載の通信装置。
【請求項１０】
前記通信装置が送受信ユニットをさらに備え、前記送受信ユニットが、
前記第2のSIMカードの前記事業者が前記第1のSIMカードの前記事業者とは異なるか、または前記第2のSIMカードが低水準ネットワークにキャンプオンしている場合に、検索通知を前記第2のSIMカードに送信し、前記検索通知が、前記ターゲット標準ネットワークを検索するように前記第2のSIMカードに指示するために使用されるように特に構成され、
前記取得ユニットが、前記ターゲット標準ネットワークを前記第2のSIMカードから取得し、前記ターゲット標準ネットワークが、ダウンリンク無線周波数リソースを使用して前記第2のSIMカードに対応するモデムによって発見される
ようにさらに構成される、請求項7から9のいずれか一項に記載の通信装置。
【請求項１１】
前記第2のSIMカードの前記登録状況が、前記第2のSIMカードが前記端末装置に装着されているかどうかをさらに含み、
前記取得ユニットが、
前記第2のSIMカードが前記端末装置に装着されていないと判定された場合に、ダウンリンク無線周波数リソースを使用して前記ターゲット標準ネットワークを検索するように、前記第2のSIMカードに対応するモデムに指示する
ように特に構成される、請求項7または8に記載の通信装置。
【請求項１２】
前記第1の標準ネットワークが4G、4．5Gおよび5Gを含み、前記第2の標準ネットワークが2Gネットワークまたは3Gネットワークを含む、請求項7から11のいずれか一項に記載の通信装置。
【請求項１３】
チップであって、メモリとプロセッサとを備え、前記メモリがコンピュータプログラムを記憶するように構成され、前記プロセッサが前記コンピュータプログラムを前記メモリから呼び出して前記コンピュータプログラムを実行するように構成され、これにより、前記チップが、請求項1から6のいずれか一項による方法を実行することが可能になる、チップ。
【請求項１４】
端末装置であって、プロセッサとメモリとを備え、前記メモリがコンピュータプログラム命令を記憶するように構成され、前記プロセッサが前記コンピュータプログラム命令を前記メモリから呼び出して前記コンピュータプログラム命令を実行するように構成され、これにより、前記端末装置が、請求項1から6のいずれか一項による方法を実行することが可能になる、端末装置。
【請求項１５】
コンピュータ可読記憶媒体であって、前記コンピュータ可読記憶媒体が命令を記憶し、前記命令がコンピュータ上で実行される場合に、前記コンピュータが請求項1から6のいずれか一項に記載の方法を実行することが可能になる、コンピュータ可読記憶媒体。
【発明の詳細な説明】
【技術分野】
【０００１】
本願は、通信分野に関し、特に、低水準ネットワークから高水準ネットワークへの復帰方法および通信装置に関する。
【背景技術】
【０００２】
高水準ネットワークとして、ロング・ターム・エボリューション（Long Term Evolution、LTE）ネットワークが広く展開されている。端末装置をLTEネットワークに登録することができるかどうかは、ユーザが端末装置の通信能力を評価するための重要な指標となっている。しかし、一部の用途シナリオでは、高水準ネットワークから低水準ネットワーク（例えば、2Gネットワークまたは3Gネットワーク）にフォールバックした後、端末装置は高水準ネットワークに復帰することができない。これはユーザ体験に深刻な影響を与える。
【発明の概要】
【０００３】
本願は、低水準ネットワークから高水準ネットワークへの復帰方法を提供する。この方法では、端末装置が高水準ネットワークから低水準ネットワークにフォールバックすると、端末装置は高水準ネットワークに復帰することができる。
【課題を解決するための手段】
【０００４】
第1の態様によれば、本願は通信方法を提供する。この方法は、端末装置の第1の加入者識別モジュールSIMカードが第1の標準ネットワークから第2の標準ネットワークにフォールバックしたことを検出するステップと、第2のSIMカードの登録状況を取得するステップであって、登録状況が、第2のSIMカードの事業者および第2のSIMカードがキャンプオンするネットワークを含み、第1のSIMカードおよび第2のSIMカードが、端末装置がデュアルSIM・デュアルスタンバイ・シングルパスモードで動作することを可能にする、ステップと、第2のSIMカードの登録状況に基づいてターゲット標準ネットワークを取得するステップと、第1のSIMカードをターゲット標準ネットワークに登録するステップとを含む。
【０００５】
第1の態様を参照して、第1の態様のいくつかの実施態様では、第1のSIMカードに対応するモデムはデータサービス接続モードにある。
【０００６】
第1の態様を参照して、第1の態様のいくつかの実施態様では、第1の標準ネットワークは4Gネットワーク、4．5Gネットワークまたは5Gネットワークを含み、第2の標準ネットワークは2Gネットワークまたは3Gネットワークを含む。
【０００７】
第1の態様を参照して、第1の態様のいくつかの実施態様では、第2のSIMカードの登録状況に基づいてターゲット標準ネットワークを取得するステップは、第2のSIMカードの事業者が第1のSIMカードの事業者と同じであり、かつ第2のSIMカードが高水準ネットワークにキャンプオンしている場合に、第2のSIMカードがキャンプオンする高水準ネットワークをターゲット標準ネットワークとして使用するステップを含む。
【０００８】
第1の態様を参照して、第1の態様のいくつかの実施態様では、第2のSIMカードの登録状況に基づいてターゲット標準ネットワークを取得するステップは、第2のSIMカードの事業者が第1のSIMカードの事業者とは異なるか、または第2のSIMカードが低水準ネットワークにキャンプオンしている場合に、検索通知を第2のSIMカードに送信するステップであって、検索通知が、ターゲット標準ネットワークを検索するように第2のSIMカードに指示するために使用される、ステップと、ターゲット標準ネットワークを第2のSIMカードから取得するステップであって、ターゲット標準ネットワークが、ダウンリンク無線周波数リソースを使用して第2のSIMカードに対応するモデムによって発見される、ステップとを含む。
【０００９】
第1の態様を参照して、第1の態様のいくつかの実施態様では、第2のSIMカードの登録状況は、第2のSIMカードが端末装置に装着されているかどうかを含み、ターゲット標準ネットワークを第2のSIMカードの登録状況に基づいて取得するステップは、第2のSIMカードが端末装置に装着されていないと判定された場合に、ターゲット標準ネットワークを検索するように第2のSIMカードに対応するモデムに指示するステップと、ターゲット標準ネットワークを第2のSIMカードに対応するモデムから取得するステップとを含む。
【００１０】
第2の態様によれば、本願は、低水準ネットワークから高水準ネットワークへの復帰方法を提供する。この方法は、第1のSIMカードと第2のSIMカードとを含む端末装置に適用される。第1のSIMカードおよび第2のSIMカードは、端末装置がデュアルSIM・デュアルスタンバイ・シングルパス動作モードで動作することを可能にする。プライマリカードは、第1の標準ネットワークに接続されている。データサービス（例えば、音声もしくは映像のサービス）を処理するプロセスにおいて、プライマリカードが第1の標準ネットワーク規格から第2の標準ネットワークにフォールバックし、かつプライマリカードが第2の標準ネットワークにフォールバックした後に、プライマリカードのデータサービスが停止されない場合、プライマリカードに対応するモデムは常にデータ接続モードにある。この場合、プライマリカードは、プライマリカード用の高水準ネットワークを再度検索するために優先度が比較的低いバックグラウンド検索機構を使用することができない。したがって、プライマリカードは高水準ネットワークに復帰することができない。バックグラウンド検索機構は、サービングセルにキャンプオンするプロセスにおいて、ダウンリンク間欠受信間欠受信（Discontinuous Reception、DRX）スロットを使用して、SIMカードが標準セルを検索する方法である。しかし、デュアルSIM・デュアルスタンバイ・シングルパス動作モードにある端末装置は、データサービスを同時に実行する際に1つのSIMカードしかサポートすることができず、他のSIMカードは、データサービスを実行するSIMカードに影響を与えることなく、例えばセル検索、ページングメッセージ受信、およびサービス測定などのダウンリンク情報および／またはデータを受信してもよい。したがって、端末装置が、プライマリカードが第1の標準ネットワークから第2の標準ネットワークにフォールバックしたことを検出した後、プライマリカードのデータサービスが継続している場合、端末装置は第2のSIMカードの登録状況を取得する。第2のSIMカードの登録状況は、第2のSIMカードが属する事業者および第2のSIMカードがキャンプオンするネットワークなどの情報を含む。端末装置が、第1のSIMカードおよび第2のSIMカードが同じ事業者に属し、かつセ
カンダリカードが高水準ネットワークにキャンプオンしていると判定した場合、端末装置は、第1のSIMカードを第2のSIMカードがキャンプオンしている高水準ネットワークに直接登録し、これにより、プライマリカードは高水準ネットワークに復帰することができる。端末装置が、第1のSIMカードおよび第2のSIMカードが異なる事業者に属しているか、または第1のSIMカードおよび第2のSIMカードが同じ事業者に属しているが第2のSIMカードが低水準ネットワークにキャンプオンしていることを発見した場合、端末装置は、ターゲット標準ネットワークを検索するように第2のSIMカードに指示する、換言すれば、特定の高水準ネットワークを検索するように第2のSIMカードに指示する。端末装置は、ターゲット標準ネットワークを発見した後、第1のSIMカードをターゲット標準ネットワークに登録し、これにより、第1のSIMカードは高水準ネットワークに復帰することができる。
【００１１】
本明細書では、第1の標準ネットワークは、4Gネットワーク、4．5Gネットワーク、5Gネットワーク、および将来の通信システムに出現する可能性がある高水準ネットワークを含む。第2の標準ネットワークは、2Gネットワークまたは3Gネットワークなどの低水準ネットワークを含んでもよい。
【００１２】
第3の態様によれば、本願は通信装置を提供する。装置は、第1の態様による方法を実施する機能と、第1の態様の任意の可能な実施態様とを有する。この機能は、ソフトウェアによって実施されてもよいし、ハードウェアによって実施されてもよいし、ハードウェアとソフトウェアとの組合せによって実施されてもよい。ハードウェアまたはソフトウェアは、前述の機能に対応する1つ以上のユニットを含む。
【００１３】
第4の態様によれば、本願はチップを提供する。チップは、端末装置の第1の加入者識別モジュールSIMカードが第1の標準ネットワークから第2の標準ネットワークにフォールバックしたかどうかを検出するように構成された検出ユニットと、検出ユニットが、第1のSIMカードが第1の標準ネットワークから第2の標準ネットワークにフォールバックしたことを検出した場合に、第2のSIMカードの登録状況を取得するように構成された取得ユニットであって、登録状況が、第2のSIMカードの事業者および第2のSIMカードがキャンプオンするネットワークを含み、第1のSIMカードおよび第2のSIMカードが、端末装置がデュアルSIM・デュアルスタンバイ・シングルパスモードで動作することを可能にし、取得ユニットが、第2のSIMカードの登録状況に基づいてターゲット標準ネットワークを取得するようにさらに構成された、取得ユニットと、第1のSIMカードをターゲット標準ネットワークに登録するように構成された登録ユニットとを含む。
【００１４】
第4の態様を参照して、第4の態様のいくつかの実施態様では、第1のSIMカードに対応するモデムはデータサービス接続モードにある。
【００１５】
第4の態様を参照して、第4の態様のいくつかの実施態様では、第2のSIMカードの事業者が第1のSIMカードの事業者と同じであり、かつ第2のSIMカードが高水準ネットワークにキャンプオンしている場合、取得ユニットは、第2のSIMカードがキャンプオンする高水準ネットワークをターゲット標準ネットワークとして使用するように特に構成される。
【００１６】
第4の態様を参照して、第4の態様のいくつかの実施態様では、チップはさらに送受信ユニットを含む。第2のSIMカードの事業者が第1のSIMカードの事業者とは異なるか、または第2のSIMカードが低水準ネットワークにキャンプオンしている場合、送受信ユニットは、検索通知を第2のSIMカードに送信するように構成され、ここで、検索通知は、ターゲット標準ネットワークを検索するように第2のSIMカードに指示するために使用され、取得ユニットは、ターゲット標準ネットワークを第2のSIMカードから取得するように特に構成される。ターゲット標準ネットワークは、ダウンリンク無線周波数リソースを使用して、第2のSIMカードに対応するモデムによって発見される。
【００１７】
本明細書における送受信ユニットは、通信インタフェースであってもよい。
【００１８】
第4の態様を参照して、第4の態様のいくつかの実施態様では、第2のSIMカードの登録状況は、第2のSIMカードが端末装置に装着されているかどうかをさらに含み、取得ユニットは、第2のSIMカードが端末装置に装着されていないと判定された場合に、ダウンリンク無線周波数リソースを使用してターゲット標準ネットワークを検索するように、第2のSIMカードに対応するモデムに指示するように特に構成される。
【００１９】
第4の態様を参照して、第4の態様のいくつかの実施態様では、第1の標準ネットワークは4G、4．5Gおよび5Gを含み、第2の標準ネットワークは2Gネットワークまたは3Gネットワークを含む。
【００２０】
第5の態様によれば、本願はチップ（またはチップシステム）を提供する。チップはメモリおよびプロセッサを含む。メモリは、コンピュータプログラムを記憶するように構成され、プロセッサは、コンピュータプログラムをメモリから呼び出してコンピュータプログラムを実行するように構成され、これにより、チップは、第1の態様および第1の態様の可能ないずれかの実施態様による方法を実行することが可能になる。
【００２１】
第6の態様によれば、本願はコンピュータプログラム製品を提供する。コンピュータプログラム製品は、コンピュータプログラムコードを含む。コンピュータプログラムコードがコンピュータ上で動作する場合、コンピュータは、第1の態様および第1の態様の任意の可能な実施態様による方法を実行することが可能になる。
【００２２】
第7の態様によれば、本願の実施形態は端末装置を提供する。端末装置はメモリおよびプロセッサを含む。メモリは、コンピュータプログラム命令を記憶するように構成され、プロセッサは、コンピュータプログラム命令をメモリから呼び出してコンピュータプログラム命令を実行するように構成され、これにより、端末装置は、第1の態様および第1の態様の可能ないずれかの実施態様による方法を実行することが可能になる。
【００２３】
本願の技術的解決策では、端末装置のプライマリカードが第1の標準ネットワークから第2の標準ネットワークにフォールバックする場合、ターゲット標準ネットワークはセカンダリカードの登録状況に基づいて判定されてもよく、プライマリカードはターゲット標準ネットワークに登録される。ターゲット標準ネットワークが高水準ネットワークである場合、プライマリカードは高水準ネットワークに復帰してもよい。
【図面の簡単な説明】
【００２４】
【図１】本願の一実施形態による設計概念の概略図である。
【図２】本願の一実施形態による、アプリケーションプロセッサとベースバンドプロセッサとの間の対話の概略図である。
【図３】本願の一実施形態による通信方法300の概略的なフローチャートである。
【図４】本願の一実施形態に適用可能な用途シナリオである。
【図５】本願の一実施形態による通信方法の別の概略的なフローチャートである。
【図６】本願の一実施形態による通信装置600の概略的なブロック図である。
【図７】本願による端末装置700の概略構成図である。
【発明を実施するための形態】
【００２５】
以下では、添付の図面を参照して、本願の技術的解決策を説明する。
【００２６】
まず、本願の実施形態における関連概念を簡単に説明する。
【００２７】
デュアルSIM・デュアルスタンバイ・シングルパス：端末装置に装着された2つの加入者識別モジュール（Subscriber Identification Module、SIM）カードは、2つのSIMカードの両方が待機モードでネットワークに接続されるように、継続的に切り替えられる。しかし、同時に、1つのSIMカードしかデータサービスを実行することができず、他のSIMカードは、セル検索、ページング受信、およびセル測定などのサービスを含むダウンリンクメッセージを受信してもよい。
【００２８】
バックグラウンド検索は、優先度の高い公衆陸上移動体ネットワーク（Public Land Mobile Network、PLMN）を検索するための、第3世代パートナーシッププロジェクト（3rd Generation Partnership Project、3GPP）で定義された方法であり、具体的には、端末装置が、サービングセルに正常にキャンプオンしている場合の別の標準セルを検索することを指す。バックグラウンド検索の優先度は比較的低く、端末装置の主動作モード（例えば、データサービス）のダウンリンクタイムスロットをプリエンプトしない。したがって、バックグラウンド検索は、リアルタイム性能が低いいくつかのシナリオに主に適用される。さらに、バックグラウンド検索の優先度は比較的低いので、多くのシナリオでは、バックグラウンド検索は、端末装置の無線リソース制御（Radio Resource Control、RRC）接続モードによって継続的に中断されるかまたは遅延される。
【００２９】
さらに、本願の実施形態では、優先度の高いネットワーク規格は優先度の低いネットワーク規格に関連している。例えば優先度の低いネットワーク規格は、2Gおよび3Gを含んでもよい。優先度の高いネットワーク規格は、4G、4．5G、および将来の5Gを含んでもよい。
【００３０】
本願の技術的解決策は、デュアルSIM・デュアルスタンバイ・シングルパスモードで動作している端末装置に適用可能であり、2つのSIMカードが端末装置に装着されている場合、または1つのSIMカードのみが端末装置に装着されている場合に適用可能である。換言すれば、解決策は、シングルカードのユーザやデュアルカードのユーザに関係なく、デュアルSIM・デュアルスタンバイ・シングルパス動作モードの端末装置に適用可能である。
【００３１】
これらの端末装置は、携帯電話、タブレット型パーソナルコンピュータ（Tablet Personal Computer）、メディアプレーヤ、スマートテレビ、ラップトップ型コンピュータ（Laptop Computer）、ウルトラモバイルパーソナルコンピュータ（Ultra−mobile Personal Computer、UMPC）、ネットブック、携帯情報端末（personal digital assistant、PDA）、パーソナルコンピュータ（Personal Computer）、モバイルインターネット装置（Mobile Internet Device、MID）、またはスマートウォッチなどのウェアラブル機器（Wearable Device）を含むが、これらに限定されない。これは、本願において限定されない。
【００３２】
本願において提供される技術的解決策は、複数のシナリオに適用されてもよい。例えば端末装置のプライマリカードは、データサービスを2Gもしくは3Gのネットワークにおいて実行し続け、4Gに復帰することができない。別の例として、一部の2Gもしくは3Gのネットワークが4G再選択パラメータで構成されていないか、または構成された4Gネットワーク再選択パラメータが不適切である。その結果、端末装置は、休止モードに入った後に4Gネットワークに復帰することができない。
【００３３】
本願の実施形態における通信方法を以下に詳細に説明する。
【００３４】
図1は、本願の一実施形態に適用可能な端末装置100の概略図である。図1を参照されたい。端末装置100は、アプリケーションプロセッサ（Application Processor、AP）101とベースバンドプロセッサ（Baseband Processor、BP）102とを含む。
【００３５】
アプリケーションプロセッサは、一般に端末装置内部のデータの処理に関与しており、ソフトウェアプログラム、オペレーティングシステムなどを実行してもよい。本願のこの実施形態において、アプリケーションプロセッサ101とベースバンドプロセッサ102との間の対話のプロセスについては、図2を参照する。
【００３６】
図2は、本願の一実施形態による、アプリケーションプロセッサとベースバンドプロセッサとの間の対話の概略図である。図2に示すように、プロセス1およびプロセス2が、アプリケーションプロセッサ101上で実行される。プロセス1はプライマリカードに対応し、プロセス2はセカンダリカードに対応する。ベースバンドプロセッサ102は、モデム1とモデム2とを有する。モデム1はプライマリカードに対応し、モデム2はセカンダリカードに対応する。本願のこの実施形態では、プライマリカードが高水準ネットワークから低水準ネットワークにフォールバックした後、高水準ネットワークに復帰するプロセスは次の通りである。プロセス1が、プライマリカードが高水準ネットワークからフォールバックし、かつプライマリカードに対応するモデム1が常にデータ接続モードであることを実行中のプロセスにおいて検出した場合、プロセス1は、プライマリカードが高水準ネットワークからフォールバックしたことをプロセス2に通知するためにプロセス2と対話し、かつ特定の高水準ネットワークを検索する準備をするようにプロセス2に指示する。さらに、プロセス2は、プライマリカードによって指定された高水準ネットワークをバックグラウンド検索方式で検索するようにセカンダリカードに対応するモデム2に指示し、検索結果をプロセス2に返送し、次いで、プロセス2は検索結果をプロセス1に返送する。プロセス1は、プライマリカードを高水準ネットワークに登録するようにモデム1にさらに指示し、これにより、プライマリカードは低水準ネットワークから高水準ネットワークに復帰する。（詳細な説明を以下に述べる。）
【００３７】
なお、図1および図2は、アプリケーションプロセッサおよびベースバンドプロセッサが物理的に独立している例を用いて説明される。別の可能な実施態様では、アプリケーションプロセッサ101はベースバンドプロセッサと統合されて、システムオンチップ（System on Chip、SoC）を形成してもよい。この場合、プロセス1およびプロセス2の両方がSoC上で実行され、SoCはモデム1とモデム2とを有する。
【００３８】
図2に示すモデム1およびモデム2は、物理モデム（すなわち、モデム）であってもよく、またはモデムのプロトコルスタックであり、かつ1つの物理モデムを共有する2つのモデムモジュールであってもよい。
【００３９】
以下では、アプリケーションプロセッサおよびベースバンドプロセッサが統合された例を用いて、本願の実施形態における通信方法を詳細に説明する。したがって、以下の方法実施形態は、アプリケーションプロセッサと統合されたベースバンドプロセッサによって実行されると見なされてもよい。
【００４０】
図3は、本願の一実施形態による通信方法の概略的なフローチャートである。
【００４１】
301．第1のSIMカードが第1の標準ネットワークから第2の標準ネットワークにフォールバックしたことを検出する。
【００４２】
一般に、第1の標準ネットワークは高水準ネットワークであり、第2の標準ネットワークは低水準ネットワークである。高水準ネットワークはまた、優先度の高い標準ネットワークと呼ばれてもよく、低水準ネットワークはまた、優先度の低い標準ネットワークとも呼ばれてもよい。高水準ネットワークは、4Gネットワーク、4．5Gネットワーク、5Gネットワーク、および将来出現する高水準ネットワークを含む。低水準ネットワークは、2Gネットワーク、3Gネットワークなどを含んでもよい。
【００４３】
302．第2のSIMの登録状況を取得する。
【００４４】
本願のこの実施形態では、SIMカードの登録状況は、SIMカードの事業者、SIMカードがキャンプするネットワーク規格、およびSIMカードが端末装置に装着されているかどうかを含む。
【００４５】
303．第2のSIMの登録状況に基づいて、ターゲット標準ネットワークを取得する。
【００４６】
なお、本明細書におけるターゲット標準ネットワークとは、第1の標準ネットワークから低水準ネットワークにフォールバックした後に、プライマリカードが復帰を期待する高水準ネットワークを指す。したがって、第2の標準ネットワークと比較して、ターゲット標準ネットワークは少なくとも高水準ネットワークである必要がある。例えば、プライマリカードがChina Mobileの4GネットワークからChina Mobileの2Gネットワークにフォールバックし、かつプライマリカードがChina Mobileの4Gネットワークに復帰することを期待する場合、China Mobileの4Gネットワークは、本願のこの実施形態において説明するターゲット標準ネットワークである。
【００４７】
ステップ303では、第2のSIMの登録状況は複数のケースを含むことが理解されてもよい。以下では、第2のSIMの登録状況の様々なケースを個別に説明する。
【００４８】
ケース1
第2のSIMカードが端末装置に装着されている。
【００４９】
第2のSIMカードが端末装置に装着されていると判定された場合、第2のSIMカードが登録されている事業者および第2のSIMがキャンプオンしているネットワークがさらに取得される必要がある。
【００５０】
第2のSIMカードの事業者が第1のSIMカードの事業者と同じであり、かつ第2のSIMカードが高水準ネットワークにキャンプオンしている場合、第2のSIMカードがキャンプオンする高水準ネットワークは、ターゲット標準ネットワークとして使用される。
【００５１】
第2のSIMカードの事業者が第1のSIMカードの事業者と異なる場合、または第2のSIMカードが低水準ネットワークにキャンプオンしている場合、第2のSIMカードに対応するモデム（以下、第2のモデムと呼ぶ）は、ターゲット標準ネットワークを検索するように指示される。
【００５２】
ケース2
第2のSIMカードが端末装置に装着されていない。
【００５３】
第2のSIMカードが端末装置に装着されていないと判定された場合、第2のモデムは、ターゲット標準ネットワークを検索するように指示される。
【００５４】
なお、ステップ203では、第2のモデムは、ターゲット標準ネットワークをバックグラウンド検索方式で検索する。
【００５５】
304．第1のSIMカードをターゲット標準ネットワークに登録する。
【００５６】
ターゲット標準ネットワークが発見されるステップ303の後、第1のSIMはターゲット標準ネットワークに登録される。
【００５７】
具体的には、第1のSIMカードに対応するモデム（以下、第1のモデムと呼ぶ）は、第1のSIMカードをターゲット標準ネットワークに登録するように指示されてもよい。
【００５８】
前述は、本願の実施形態における通信方法を詳細に説明している。本願の実施形態における技術的解決策によれば、端末装置のプライマリカードが高水準ネットワークから低水準ネットワークにフォールバックした場合、バックグラウンド検索は、プライマリカードが高水準ネットワークに復帰するのを支援するために、セカンダリカードのダウンリンク無線周波数リソースを使用して実行されてもよいことが分かる。
【００５９】
図4は、本願の一実施形態に適用可能な用途シナリオである。図4に示すように、端末装置（例えば、携帯電話）のタッチスクリーンの上部にあるステータスバーは、プライマリカードおよびセカンダリカードに接続されたネットワーク規格を表示する。ステータスバーの左から右に向かって第1のアイコンは、プライマリカードに接続されたネットワーク規格であり、ステータスバーの第2のアイコンは、セカンダリカードに接続されたネットワーク規格であると想定されている。図4のAに示すシナリオでは、プライマリカードおよびセカンダリカードの両方が4Gネットワークに接続されており、プライマリカードはデータサービスを処理している。例えばユーザは、音声通話を行ったり映像を見たりするためにプライマリカードを使用している。ユーザが信号強度の比較的弱い場所に移動（例えば、エレベータに乗り込むか、または4Gネットワークのカバレッジがない領域に移動）した場合、図4のBに示すシナリオの通り、プライマリカードが4Gネットワークから2Gネットワークにフォールバックする可能性があると想定される。この場合、端末装置は、ウィンドウを自動的に表示することによって、プライマリカードが2Gネットワークにフォールバックすることをユーザに促し、4Gネットワークを検索するためにセカンダリカードを使用するかどうかをユーザが選択することができるようにしてもよい。ユーザが「はい」を選択すると、セカンダリカードは4Gネットワークを検索し、4Gネットワークを発見した後に検索結果をプライマリカードに返送し、これにより、図4のCに示すように、プライマリカードは4Gネットワークに再び復帰する。
【００６０】
図4における用途シナリオは単なる例であり、複数の特定の実施態様がさらに含まれてもよいことを理解されたい。例えば、端末装置は以下の通り構成されてもよい。プライマリカードが4Gから2Gにフォールバックした場合、セカンダリカードは、ユーザに促すことなく4Gネットワークを自動的に検索する。このようにして、プライマリカードは、ユーザに認識されることなく4Gネットワークに復帰してもよい。別の例として、プライマリカードが高水準ネットワークに復帰した後、プライマリカードが高水準ネットワークに復帰したことをユーザに促すために、プロンプト情報がユーザにプッシュされてもよい。
【００６１】
さらに、図4に示す用途シナリオでは、プライマリカードおよびセカンダリカードは、異なる事業者に属していてもよいし、同じ事業者に属していてもよい。本願の技術的解決策は、どちらの場合にも適用可能である。例えば、プライマリカードはChina Mobileに属し、セカンダリカードはChina Unicomに属する。あるいは、プライマリカードおよびセカンダリカードの両方がChina MobileまたはChina Unicomに属する。
【００６２】
さらに、図4に示すセカンダリカードは4Gネットワークに接続される。いくつかの用途シナリオでは、セカンダリカードは2Gネットワークまたは3Gネットワークなどの低水準ネットワークに接続されてもよい。これは、本願において限定されない。
【００６３】
前述は、図3および図4を参照して、本願の実施形態における通信方法をチップの観点から説明している。以下では、図5を参照して、本願の実施形態における通信方法をさらに詳細に説明する。
【００６４】
図5は、本願の一実施形態による通信方法の別の概略的なフローチャートである。
【００６５】
501．プロセス1は、プライマリカードが高水準ネットワークから低水準ネットワークにフォールバックしたことを検出する。
【００６６】
例えば、プライマリカードは、LTEネットワーク（つまり、4Gネットワーク）から2Gネットワークもしくは3Gネットワークにフォールバックする。
【００６７】
なお、プライマリカードが高水準ネットワークからフォールバックした場合、プライマリカードはデータサービスを常に実行しているので、プライマリカードに対応するモデム（以下ではモデム1と示す）は依然としてデータサービス接続モードにある。
【００６８】
なお、上述したように、プロセス1およびプロセス2はAP上で実行され、かつAPおよびBPは別々に配置してもよく、またはAPはBPに統合されてもよい。したがって、本明細書において、プライマリカードが高水準ネットワークからフォールバックしたことをプロセス1が検出することは、プライマリカードが高水準ネットワークからフォールバックしたことを、プロセス1を実行するエンティティが検出することであってもよい。プロセス1を実行するエンティティは、APまたはBPであってもよい。同様に、以下に説明するプロセス1およびプロセス2によって実行される手順および／または動作は、プロセス1およびプロセス2を実行するエンティティ（例えば、BP）によって実際に実行される。APおよびBPが別々に配置されている場合、プロセス1とプロセス2との間の対話は、プロセス1を実行するエンティティとプロセス2を実行するエンティティとの間の対話である。
【００６９】
502．プロセス1はプロセス2と対話し、プロセス1はセカンダリカードの登録状況を取得する。
【００７０】
セカンダリカードの登録状況については、前述の説明を参照されたい。詳細については、本明細書では再び説明しない。
【００７１】
503．プロセス1は、プライマリカードおよびセカンダリカードが同じ事業者に属しているかどうかを判定し、セカンダリカードが高水準ネットワークにキャンプオンしているかどうかを判定する。
【００７２】
ステップ503において、判定結果が「はい」である場合、ステップ504の手順が実行される。判定結果が「いいえ」である場合、ステップ505の手順が実行される。
【００７３】
504．プライマリカードおよびセカンダリカードは同じ事業者に属しており、セカンダリカードは高水準ネットワークにキャンプオンしている。
【００７４】
この場合、プライマリカードが高水準ネットワークに復帰することが可能になるように、ステップ5041およびステップ5042がプロセス1とモデム1との間で実行される。
【００７５】
5041．プロセス1は、セカンダリカードがキャンプオンする高水準ネットワークにプライマリカードを登録するようにモデム1に直接指示する。
【００７６】
具体的には、この場合、セカンダリカードがキャンプオンしているネットワークがターゲット標準ネットワークとして使用される。
【００７７】
5042．モデム1は、プライマリカードの高水準ネットワークへの登録を完了し、プライマリカードの登録状況を報告するために登録結果をプロセス1に返送する。
【００７８】
505．プライマリカードおよびセカンダリカードが同じ事業者に属していないか、またはセカンダリカードが低水準ネットワークにキャンプオンしている。
【００７９】
この場合、プライマリカードが高水準ネットワークに復帰することが可能になるように、ステップ5051〜5056が実行される。
【００８０】
5051．プロセス1は、ターゲット標準ネットワークを検索する準備をするようにプロセス2に指示する。
【００８１】
例えば、プライマリカードはChina Mobileに属しており、セカンダリカードはChina Unicomに属しており、セカンダリカードは4Gネットワークにキャンプオンしている。この場合、プロセス1はChina Mobileの4Gネットワークを検索するようにプロセス2に指示してもよい。
【００８２】
5052．プロセス2は、セカンダリカードに対応するモデムに、ターゲット標準ネットワークを検索するように指示する。
【００８３】
本明細書では、セカンダリカードに対応するモデムをモデム2と示す。
【００８４】
5053．モデム2は、バックグラウンド検索機構を使用してPLMNリストを検索する。
【００８５】
バックグラウンド検索機構は、上記で説明している。具体的には、本願のこの実施形態では、サービングセルに正常にキャンプオンしている場合、セカンダリカードは間欠受信（discontinuous reception、DRX）スロットを使用して別の標準セルを検索する。本明細書では、付近の別の標準ネットワークを検索して、プライマリカードを登録することができる高水準ネットワークを発見するために、モデム2はバックグラウンド検索機構を使用する。
【００８６】
5054．モデム2は検索結果をプロセス2に返送する。
【００８７】
5055．プロセス2は検索結果をプロセス1に返送する。
【００８８】
ステップ5054〜5055では、プロセス2は、発見されたターゲット標準ネットワークをプロセス1に復帰させてもよい。あるいは、PLMNリストが返送されてもよく、プロセス1は、条件を満たすターゲット標準ネットワークをPLMNリストから選択する。
【００８９】
5056．プロセス1は、プライマリカードをターゲット標準ネットワークに登録するようにモデム1に指示する。
【００９０】
続いて、モデム1は、プライマリカードをターゲット標準ネットワークに登録し、かつプライマリカードの登録状況を報告するために登録結果をプロセス1に返送する。
【００９１】
前述の手順により、プライマリカードは、低水準ネットワークから高水準ネットワークに復帰することができる。
【００９２】
本願の本実施形態の通信方法によれば、端末装置のプライマリカードが高水準ネットワークから低水準ネットワークにフォールバックした後、セカンダリカードは、ダウンリンク無線周波数リソースを使用しかつバックグラウンド検索機構を使用して高水準ネットワークを検索して、高水準ネットワークをプライマリカードにフィードバックし、これにより、プライマリカードは高水準ネットワークに再登録される。これは、データサービスを実行する場合に、プライマリカードが、高水準ネットワークから低水準ネットワークにフォールバックした後に高水準ネットワークに復帰することができないという問題を解決する。
【００９３】
なお、図5に示す手順では、プライマリカードおよびセカンダリカードの両方が端末装置に装着されている。これは、上述のデュアルカードのユーザシナリオである。本願のこの実施形態はまた、シングルカードのユーザに適用可能である。具体的には、図5と同様に、ステップ502において、プロセス1はプロセス2と対話し、プロセス1はセカンダリカードの登録状況を取得する。この場合、セカンダリカードが端末装置に装着されているかどうかが分かる可能性があり、換言すれば、セカンダリカードが「所定位置内にある」状態であるかどうかが分かる可能性がある。セカンダリカードが端末装置に装着されていないと判定された場合、プロセス1は、ターゲットネットワーク規格を検索するようにプロセス2に直接指示してもよい。その後の手順は図5に示す手順と同様であり、詳細については、本明細書では再び説明しない。
【００９４】
実際、ほとんどのユーザは、高水準ネットワーク（例えば、LTEネットワーク）との接続を短時間で絶つ。実際のテスト検証結果に基づいて、解決策を使用しない端末装置は、常に高水準ネットワークに復帰することができない。しかし、本願の技術的解決策を使用することによって、高水準ネットワークからフォールバックした後に、端末装置は30秒〜60秒で高水準ネットワークに復帰してもよい。
【００９５】
さらに、データサービス接続モードにあり、かつ2G／3Gネットワークにフォールバックした後で4Gネットワークに復帰することができない端末装置の場合、従来技術では、データサービスをオフにするか、「4Gスイッチ」をオンまたはオフにするか、または「機内モード」をオンまたはオフにしてデータサービスをオフにすることによってのみ、4Gネットワークを復元することができ、ユーザ体験が著しく低下する。本願の技術的解決策を使用することで、端末装置は4Gネットワークのカバレッジ状況を事前に取得することができ、これにより、端末装置は、ユーザに認識されることなく4Gネットワークに迅速に登録することができるため、ユーザ体験が向上する。
【００９６】
さらに、データサービスを短時間で実施するユーザや、ネットワークがinter−RATと連携しないシナリオの場合、本願の技術的解決策を利用することによって、端末装置は高水準ネットワークに迅速に復帰することができる。
【００９７】
前述は、本願の実施形態における通信方法を詳細に説明している。以下では、本願の実施形態における通信装置について説明する。
【００９８】
図6は、本願の一実施形態による通信装置600の概略的なブロック図である。図6に示すように、通信装置600は、検出ユニット610と、取得ユニット620と、登録ユニット630とを含む。
【００９９】
検出ユニット610は、端末装置の第1の加入者識別モジュールSIMカードが第1の標準ネットワークから第2の標準ネットワークにフォールバックするかどうかを検出するように構成される。
【０１００】
取得ユニット620は、第1のSIMカードが第1の標準ネットワークから第2の標準ネットワークにフォールバックしたことを検出ユニットが検出した場合に、第2のSIMカードの登録状況を取得するように構成される。第2のSIMカードの登録状況は、第2のSIMカードの事業者と、第2のSIMカードがキャンプオンするネットワークとを含む。第1のSIMカードおよび第2のSIMカードは、端末装置がデュアルSIM・デュアルスタンバイ・シングルパスモードで動作することを可能にする。
【０１０１】
取得ユニット620は、ターゲット標準ネットワークを第2のSIMカードの登録状況に基づいて取得するようにさらに構成される。
【０１０２】
登録ユニット630は、第1のSIMカードをターゲット標準ネットワークに登録するように構成される。
【０１０３】
本願のこの実施形態における通信装置600内のユニットおよび前述の他の動作もしくは機能は、本願で提供される通信方法において対応する手順または動作を実施するために別々に使用される。
【０１０４】
可能な設計では、通信装置600の機能の一部または全てはソフトウェアによって実施されてもよい。例えば、通信装置600はメモリおよびプロセッサを含む。メモリはプログラムを記憶するように構成され、プロセッサは、メモリに記憶されたプログラムを実行するように構成される。プログラムが実行された場合、通信装置600は、本願の実施形態における低水準ネットワークから高水準ネットワークへの復帰方法を実施してもよい。メモリおよびプロセッサは物理的に独立したユニットであってもよいし、または、メモリおよびプロセッサは一体に統合されてもよい。
【０１０５】
可能な設計では、通信装置600の前述の機能の一部または全ては、ハードウェア、またはハードウェアおよびソフトウェアの組合せによって実施されてもよい。
【０１０６】
任意選択により、通信装置600はチップもしくは集積回路であってもよい。例えば、通信装置600は端末装置内のSoCチップであってよい。
【０１０７】
本願において提供される通信装置によれば、端末装置上でデータサービスを実行するプライマリカードが高水準ネットワークから低水準ネットワークにフォールバックした場合、セカンダリカードは、プライマリカードが高水準ネットワークに復帰するのを支援するために、ダウンリンク無線周波数リソースを使用しかつバックグラウンド検索機構を使用して高水準ネットワークを検索する。これは、データサービスを実行するプライマリカードが、高水準ネットワークから低水準ネットワークにフォールバックした後に高水準ネットワークに復帰することができないという先行技術における問題を解決する。
【０１０８】
また、本願の実施形態は端末装置をさらに提供する。本願の実施形態では、端末装置は、低水準ネットワークから高水準ネットワークへの復帰方法を実行してもよい。端末装置の構造は図7に示されている。
【０１０９】
図7は、本願による端末装置700の概略構成図である。当業者は、図7に示す構造が端末装置に対して制限を設けず、かつ、端末装置が、図7に示す構成要素よりも多いかまたは少ない構成要素を含むか、いくつかの構成要素を組み合わせるか、または異なる構成要素配置を有することなどを理解し得る。
【０１１０】
無線周波数（radio frequency、RF）回路710は、呼処理において情報を送受信するか、または信号を送受信するように構成されてもよい。通常、RF回路710は、アンテナ、少なくとも1つの増幅器、送受信機、結合器、低雑音増幅器（low noise amplifier、LNA）、デュプレクサなどを含んでもよいが、これらに限定されない。アンテナは、全ての携帯電話上のアンテナ、例えばプライマリアンテナおよびセカンダリアンテナを含んでもよい。セカンダリアンテナは、全地球測位システム（global positioning system、GPS）アンテナ、Wi−Fiアンテナ、NFCアンテナなどであってもよい。複数のセカンダリアンテナが1つのアンテナ本体を共有してもよい。さらに、RF回路710は、無線通信技術を使用することによって、ネットワークおよび別の機器とさらに通信してもよい。例えば、RF回路710は、基地局によって送信されたダウンリンク情報を受信してもよく、受信したダウンリンク情報を処理のためにプロセッサ730にさらに送信してもよく、またはアップリンクデータを基地局に送信してもよい。無線通信技術は、移動通信用グローバルシステム（global system of mobile communication、GSM(登録商標)）、汎用パケット無線サービス（general packet radio service、GPRS）、符号分割多重アクセス（code division multiple access、CDMA）、広帯域符号分割多重アクセス（wideband code division multiple access、WCDMA(登録商標)）、ロング・ターム・エボリューション（long term evolution、LTE）、電子メール、ショートメッセージングサービス（short messaging service、SMS）などを含むがこれらに限定されない、任意の通信規格またはプロトコルを使用してもよい。
【０１１１】
プロセッサ730は、端末装置700の制御センタであってもよく、様々なインタフェースおよびラインを使用することによって端末装置の各部に接続され、ソフトウェアプログラムおよび／またはメモリ740に記憶され、かつメモリ740に記憶されたデータを呼び出すモジュールを起動させるかまたは実行することによって、端末装置700の様々な機能を実行する。
【０１１２】
任意選択により、プロセッサ730は集積回路（integrated circuit、IC）を含んでもよい。例えば、プロセッサ730は、個別にパッケージ化されたICによって形成されてもよく、または同じ機能もしくは異なる機能を有する複数のパッケージ化されたICを接続することによって形成されてもよい。プロセッサ730は、中央処理装置（central processing unit，CPU）であってもよく、または別の汎用プロセッサ、デジタル信号プロセッサ（digital signal processor、DSP）、特定用途向け集積回路（application specific integrated circuit、ASIC）、フィールド・プログラマブル・ゲート・アレイ（field programmable gate array、FPGA）、または別のプログラム可能な論理デバイス、個別のゲートまたはトランジスタ論理デバイス、個別のハードウェアコンポーネントなどであってもよい。汎用プロセッサはマイクロプロセッサであってもよい。あるいは、プロセッサは任意の従来のプロセッサであってもよい。これは、本願の実施形態において限定されない。
【０１１３】
メモリ740は、プログラム記憶領域およびデータ記憶領域を主に含んでもよい。プログラム記憶領域は、オペレーティングシステム、少なくとも1つの機能（例えば音声再生機能、または画像再生機能）に必要なアプリケーションプログラムなどを記憶してもよい。データ記憶領域は、端末装置700の使用に基づいて作成されたデータ（例えばオーディオデータ、画像データ、電話帳など）などを記憶してもよい。さらに、メモリ740は高速ランダムアクセスメモリを含んでもよく、不揮発性メモリ、例えば少なくとも1つの磁気ディスク記憶装置、フラッシュメモリ装置、または別の揮発性固体記憶装置をさらに含んでもよい。
【０１１４】
さらに、端末装置は、入力ユニット750、表示ユニット760、1つ以上のセンサ770、オーディオ回路780などをさらに含んでもよい。
【０１１５】
入力ユニット750は、入力された数字もしくは文字の情報を受信し、端末装置700のユーザ設定および機能制御に関連するキー信号入力を生成するように構成されてもよい。具体的には、入力ユニット750はタッチスクリーン751および別の入力装置752を含んでもよい。表示ユニット660は、ユーザによって入力された情報、ユーザに提供される情報、および端末装置700の各種メニューを表示するように構成されてもよい。表示ユニット760は表示パネル761を含んでもよい。任意選択により、表示パネル751は、液晶ディスプレイ（liquid crystal display、LCD）、有機発光ダイオード（organic light−emitting diode、OLED）などの形態で構成されてもよい。さらに、タッチスクリーン751は表示パネル761を覆ってもよい。図7では、タッチスクリーン751および表示パネル761は、端末装置700の入出力機能を実施する2つの独立した構成要素として機能する。しかし、いくつかの実施形態では、タッチスクリーン751および表示パネル761は、端末装置700の入出力機能を実施するために統合されてもよい。少なくとも1つのセンサ770は動きセンサを含んでもよい。動きセンサは、端末装置の動きデータを取得し、端末装置の動き状況などを動きデータに基づいて判定するように構成されてもよい。任意選択により、少なくとも1つのセンサ670は、別のセンサ、例えば光学センサまたは重力センサ（gravity sensor）をさらに含んでもよい。具体的には、光学センサは、周囲光センサおよび光学近接センサを含んでもよい。
【０１１６】
オーディオ回路780、スピーカ781およびマイク782は、ユーザと端末装置700との間の音声インタフェースを提供してもよい。オーディオ回路780は、受信したオーディオデータを電気信号に変換し、かつ電気信号をスピーカ781に送信するように構成されてもよい。スピーカ781は、受信した電気信号を音声信号に変換し、次いで音声信号を出力するように構成されてもよい。一方、マイク782は、収集された音声信号を電気信号に変換し、かつ電気信号をオーディオ回路に送信するように構成されてもよい。オーディオ回路780は、受信した電気信号をオーディオデータに変換し、次いで、オーディオデータを別の機器に送信するか、またはオーディオデータをさらなる処理のためにメモリ740に出力するために、オーディオデータをRF回路710に出力する。
【０１１７】
任意選択により、端末装置700は、各構成要素に電力を供給するように構成された電源720（例えば、電池）をさらに含んでもよい。任意選択により、電源は、電力管理システムを使用することによって充電管理、放電管理および電力消費管理などの機能を実施するために、電力管理システムを使用することによってプロセッサ730に論理的に接続されてもよい。
【０１１８】
図示されていないが、端末装置700は、ワイヤレスフィディリティ（wireless fidelity、WiFi）モジュール、Bluetooth(登録商標)モジュールなどをさらに含んでもよいことを理解されたい。詳細については本明細書では説明しない。
【０１１９】
さらに、説明を簡単にするために、図7は、本願の実施形態に関連する部分のみを示していることを理解されたい。開示されていない特定の技術的詳細については、本願の実施形態における特定の説明を参照されたい。
【０１２０】
本願の実施形態における低水準ネットワークから高水準ネットワークへの復帰方法は、端末装置のプロセッサ730によって実行されてもよい。
【０１２１】
また、本願はコンピュータ可読記憶媒体をさらに提供する。コンピュータ可読記憶媒体は命令を記憶する。命令がコンピュータ上で実行された場合、コンピュータは、本願の実施形態における低水準ネットワークから高水準ネットワークへの復帰方法を実行することが可能になる。
【０１２２】
簡潔にするために、本明細書における実施形態の説明は、実施形態間の違いに焦点を当てていることを理解されたい。したがって、本明細書において明示的に述べられていない限り、または文脈から分かる場合を除き、本明細書の実施形態間で相互参照が行われてもよい。
【０１２３】
当業者は、本明細書に開示された実施形態を参照して説明された方法ステップおよびユニットが、電子ハードウェア、またはコンピュータソフトウェアあるいはそれらの組合せとして実施されてもよいことを認識し得る。ハードウェアとソフトウェアとの間の互換性を明確に示すために、各実施形態のステップおよび構成を機能に従って一般的に上述した。機能がハードウェアとソフトウェアのいずれによって実行されるかは、特定の用途と技術的解決策の設計制約条件とに依存する。当業者は、説明された機能を特定の用途ごとに実施するために異なる方法を使用してもよいが、実施態様が本願の範囲を超えていると見なされるべきではない。
【０１２４】
説明の便宜および簡潔さのために、前述のシステム、装置およびユニットの特定の動作プロセスについて、方法実施形態における対応するプロセスを参照することは、当業者によって明確に理解され得る。詳細については、本明細書では再び説明しない。
【０１２５】
本願において提供されたいくつかの実施形態では、開示されたシステム、装置および方法が別の方法で実施されてもよいことを理解されたい。例えば、記載された装置の実施形態は単なる例である。例えば、ユニットへの分割は、単なる論理機能の分割であり、実際の実施におけるその他の分割であってもよい。例えば、複数のユニットもしくは構成要素が、組み合わされるかまたは他のシステムに統合されてもよく、あるいは、いくつかの機能が無視されるか実行されなくてもよい。さらに、提示されたかまたは議論された相互結合もしくは直接結合または通信接続は、いくつかのインタフェース、装置またはユニット間の間接結合または通信接続、あるいは電気的接続、機械的接続または他の形態の接続によって実施されてもよい。
【０１２６】
別個の部品として説明されたユニットは、物理的に分離されてもよいし、物理的に分離されなくてもよく、ユニットとして提示された部品は、物理的なユニットであってもよいし、物理的なユニットでなくてもよく、1つの位置に配置されてもよく、あるいは、複数のネットワークユニットに分散されてもよい。ユニットの一部または全ては、本願の実施形態の解決策の目的を達成するために実際の要件に基づいて選択されてもよい。
【０１２７】
さらに、本願の実施形態における機能ユニットは1つの処理ユニットに統合されてもよく、または、ユニットの各々は物理的に単独で存在してもよく、または、2つ以上のユニットは1つのユニットに統合されてもよい。統合されたユニットは、ハードウェアの形態で実装されてもよく、あるいは、ソフトウェア機能ユニットの形態で実装されてもよい。
【０１２８】
統合されたユニットが、ソフトウェア機能ユニットの形態で実装され、単独の製品として販売または使用される場合、統合されたユニットをコンピュータ可読記憶媒体に格納してもよい。このような理解に基づいて、本質的には本願、もしくは先行技術に寄与する部分の技術的解決策、または技術的解決策の全てもしくは一部が、ソフトウェア製品の形態で実施されてもよい。ソフトウェア製品は記憶媒体に記憶されており、（パーソナルコンピュータ、サーバまたはネットワーク装置であってもよい）コンピュータ装置に本願の実施形態において説明された方法のステップの全てまたは一部を実行するように命令するためのいくつかの命令を含む。前述の記憶媒体は、例えばUSBフラッシュドライブ、リムーバブルハードディスク、読出し専用メモリ（read−only memory、ROM）、ランダムアクセスメモリ（random access memory、RAM）、磁気ディスク、または光ディスクなどの、プログラムコードを記憶することができる任意の媒体を含む。
【０１２９】
前述の説明は、本願の特定の実施態様にすぎないが、本願の保護範囲を限定するものではない。本願において開示された技術的範囲内の、当業者にとって容易に見当がつく任意の変形もしくは置換は、本願の保護範囲内に収まるものとする。したがって、本願の保護範囲は、特許請求の範囲の保護範囲に従うものとする。
【符号の説明】
【０１３０】
1、2  モデム
1、2  プロセス
100  端末装置
101  アプリケーションプロセッサ
102  ベースバンドプロセッサ
300  通信方法
600  通信装置
610  検出ユニット
620  取得ユニット
630  登録ユニット
700  端末装置
710  RF回路
720  電源
730  プロセッサ
740  メモリ
750  入力ユニット
751  タッチスクリーン
752  別の入力装置
760  表示ユニット
761  表示パネル
770  センサ
780  オーディオ回路
781  スピーカ
782  マイク
【図１】
2021516507.tif 000003
【図２】
2021516507.tif 000004
【図３】
2021516507.tif 000005
【図４】
2021516507.tif 000006
【図５】
2021516507.tif 000007
【図６】
2021516507.tif 000008
【図７】
2021516507.tif 000009
【国際調査報告】
2021516507.tif 000010
2021516507.tif 000011
2021516507.tif 000012
2021516507.tif 000013